(57)【特許請求の範囲】
【請求項１】
施錠可能な開閉部材と、閉じている状態の前記開閉部材の端部に対向する対向部材とを備えた建物に荷物を繋ぎ止める繋止システムであって、
前記荷物を繋ぎ止めるための繋止具と、開いている状態の前記開閉部材に予め取り付けられて前記開閉部材が閉じている状態で前記繋止具を前記開閉部材に固定するための受け装置とを備え、
前記繋止具は、前記受け装置に挿入されるための挿入部を有し、
前記挿入部は、前記受け装置からの抜け止めのための段差が形成され、
前記受け装置は、閉じている前記開閉部材に前記受け装置が固定されている状態で前記端部及び前記対向部材の隙間に配置される隙間配置部と、閉じている前記開閉部材に前記受け装置が固定されている状態で前記建物の内側に配置され前記隙間配置部に接続されて前記隙間配置部の前記隙間からの抜け止めを行う抜止部と、前記繋止具が挿入される挿入穴が形成された穴形成部と、前記挿入穴に挿入された前記繋止具の前記段差に接触することによって前記繋止具の抜け止めを行う爪部材とを有したことを特徴とする繋止システム。
【請求項２】
前記受け装置は、前記爪部材の突出方向に前記爪部材を付勢する爪付勢部材を有したことを特徴とする請求項１に記載の繋止システム。
【請求項３】
前記受け装置は、前記爪部材に接触して移動させられることによって前記爪部材を移動させ前記爪部材による前記繋止具の抜け止めを解除する解除部材と、前記解除部材に接触して前記解除部材の移動を防止するロック部材と、前記ロック部材に接触して前記ロック部材の位置を変更する変位部材とを有し、
前記変位部材は、前記開閉部材が閉じている状態で前記対向部材に押されて前記ロック部材の位置を前記ロック部材が前記解除部材の移動を防止する位置にすることを特徴とする請求項１に記載の繋止システム。
【請求項４】
前記受け装置は、前記開閉部材が閉じている状態の前記建物の外側から前記開閉部材に接触するための外側接触部と、前記外側接触部及び前記抜止部の間隔を調整する間隔調整部材とを有したことを特徴とする請求項３に記載の繋止システム。
【請求項５】
前記間隔調整部材は、閉じている前記開閉部材に前記受け装置が固定されている状態で前記建物の内側に配置され前記間隔を調整するために利用者によって操作されるための操作部を有したことを特徴とする請求項４に記載の繋止システム。
【請求項６】
前記受け装置は、前記ロック部材が前記解除部材から離れる方向に前記ロック部材を付勢する離方向付勢部材を有したことを特徴とする請求項３に記載の繋止システム。
【請求項７】
前記繋止具は、前記荷物に繋がった連結用部材を連結するための連結部を有し、
前記連結部は、前記連結用部材が取り付けられるための取付口が形成され、
前記取付口は、前記繋止具が前記受け装置に挿入された状態で前記受け装置によって少なくとも一部が覆われる位置に形成されたことを特徴とする請求項１に記載の繋止システム。
【請求項８】
前記挿入部は、前記挿入穴に挿入されるための金箆と、前記金箆の延在方向に延在して前記金箆に回転可能に支持された遊動軸と、前記金箆の先端側で前記遊動軸に対して曲げられて前記遊動軸に設けられた鉤爪とを有し、
前記繋止具は、前記金箆の根元側で前記遊動軸に対して曲げられて前記遊動軸に設けられた梃子と、前記遊動軸を中心とした前記梃子の回転をロックする錠機構とを有し、
前記段差は、前記鉤爪によって形成されることを特徴とする請求項１に記載の繋止システム。
【請求項９】
施錠可能な開閉部材と、閉じている状態の前記開閉部材の端部に対向する対向部材とを備えた建物に荷物を繋ぎ止める繋止システムに使用され、前記荷物を繋ぎ止めるための繋止具を前記開閉部材が閉じている状態で前記開閉部材に固定するために、開いている状態の前記開閉部材に予め取り付けられる受け装置であって、
閉じている前記開閉部材に前記受け装置が固定されている状態で前記端部及び前記対向部材の隙間に配置される隙間配置部と、閉じている前記開閉部材に前記受け装置が固定されている状態で前記建物の内側に配置され前記隙間配置部に接続されて前記隙間配置部の前記隙間からの抜け止めを行う抜止部と、前記繋止具が挿入される挿入穴が形成された穴形成部と、前記挿入穴に挿入された前記繋止具に接触することによって前記繋止具の抜け止めを行う爪部材とを有したことを特徴とする受け装置。
【請求項１０】
施錠可能な開閉部材と、閉じている状態の前記開閉部材の端部に対向する対向部材とを備えた建物に荷物を繋ぎ止める繋止システムに使用され、開いている状態の前記開閉部材に予め取り付けられた受け装置に前記開閉部材が閉じている状態で固定される繋止具であって、
前記受け装置に挿入されるための挿入部と、前記荷物に繋がった連結用部材を連結するための連結部とを有し、
前記挿入部は、前記受け装置からの抜け止めのための段差が形成され、
前記連結部は、前記連結用部材が取り付けられるための取付口が形成され、
前記取付口は、前記繋止具が前記受け装置に挿入された状態で前記受け装置によって少なくとも一部が覆われる位置に形成されたことを特徴とする繋止具。
【発明の詳細な説明】
【技術分野】
【０００１】
本発明は、建物に荷物を繋ぎ止める繋止システムに関する。
【背景技術】
【０００２】
従来、施錠可能な扉と、扉が閉じている状態で扉の端部に対向する扉枠とを備えた建物に荷物を繋ぎ止める繋止システムとして、扉の端部と扉枠との隙間に挿入される金箆と、金箆の延在方向に延在して金箆に回転可能に支持された遊動軸と、金箆の先端側で遊動軸に対して曲げられて遊動軸に設けられた鉤爪と、金箆の根元側で遊動軸に対して曲げられて遊動軸に設けられた梃子と、遊動軸を中心とした梃子の回転をロックする錠機構とを有した繋止具を用いるものが知られている（例えば、特許文献１参照。）。
【０００３】
特許文献１に記載の繋止具においては、扉が閉じて施錠されている状態で扉の端部と扉枠との隙間に金箆が挿入された後、梃子が遊動軸を中心として回転させられることによって金箆に対して鉤爪が立てられる。そして、金箆に対して鉤爪が立てられた状態で、梃子の回転が錠機構によってロックされる。その結果、繋止具の錠機構を解錠することができる人か、扉を解錠することができる人のみが繋止具を扉から外すこと、即ち、建物から荷物を取り外すことができる。
【０００４】
例えば、顧客が留守中等の場合に配達業者が繋止具を用いて顧客宅の扉に荷物を繋ぎ止めておけば、顧客は、扉を解錠することによって、自宅の扉から荷物を取り外して受け取ることができる。また、顧客が繋止具を用いて自宅の扉に荷物を繋ぎ止めておけば、配達業者は、繋止具の錠機構を解錠することによって、顧客宅の扉から荷物を取り外して回収することができる。このように、特許文献１に記載の繋止具は、配達業者と顧客との間で繋止具自体が繰り返し利用される形態の配達に対して、特に高い利便性を発揮するものである。そのような配達としては、例えば、レンタルビデオの配達、容器の回収を前提とした食品の配達、容器の回収や新たに依頼される衣服の回収を前提としたクリーニング品の配達等がある。
【特許文献１】特開２００１−２００６７１号公報
【発明の開示】
【発明が解決しようとする課題】
【０００５】
しかしながら、従来の繋止システムにおいては、扉の近傍の状態によっては繋止具が取り付けられることができないという問題があった。例えば、扉の端部と扉枠との隙間が狭すぎて金箆が挿入されることができない場合や、建物の内側に十分なスペースが無いために鉤爪が立てられることができない場合等があった。
【０００６】
本発明は、従来の問題を解決するためになされたもので、従来より多くの建物に荷物を繋ぎ止めることができる繋止システムを提供することを目的とする。
【課題を解決するための手段】
【０００７】
本発明の繋止システムは、施錠可能な開閉部材と、閉じている状態の前記開閉部材の端部に対向する対向部材とを備えた建物に荷物を繋ぎ止める繋止システムであって、前記荷物を繋ぎ止めるための繋止具と、開いている状態の前記開閉部材に予め取り付けられて前記開閉部材が閉じている状態で前記繋止具を前記開閉部材に固定するための受け装置とを備え、前記繋止具は、前記受け装置に挿入されるための挿入部を有し、前記挿入部は、前記受け装置からの抜け止めのための段差が形成され、前記受け装置は、閉じている前記開閉部材に前記受け装置が固定されている状態で前記端部及び前記対向部材の隙間に配置される隙間配置部と、閉じている前記開閉部材に前記受け装置が固定されている状態で前記建物の内側に配置され前記隙間配置部に接続されて前記隙間配置部の前記隙間からの抜け止めを行う抜止部と、前記繋止具が挿入される挿入穴が形成された穴形成部と、前記挿入穴に挿入された前記繋止具の前記段差に接触することによって前記繋止具の抜け止めを行う爪部材とを有したことを特徴とするものである。
【０００８】
この構成により、本発明の繋止システムは、開いている状態の開閉部材に予め取り付けられる受け装置に繋止具が取り付けられるので、閉まっている状態の開閉部材に繋止具が直接取り付けられる従来の繋止システムと比較して、多くの建物に荷物を繋ぎ止めることができる。
【０００９】
また、本発明の繋止システムの前記受け装置は、前記爪部材の突出方向に前記爪部材を付勢する爪付勢部材を有したことを特徴とするものである。
【００１０】
この構成により、本発明の繋止システムは、爪部材による繋止具の抜け止めが振動によって解除されることを防止することができる。
【００１１】
また、本発明の繋止システムの前記受け装置は、前記爪部材に接触して移動させられることによって前記爪部材を移動させ前記爪部材による前記繋止具の抜け止めを解除する解除部材と、前記解除部材に接触して前記解除部材の移動を防止するロック部材と、前記ロック部材に接触して前記ロック部材の位置を変更する変位部材とを有し、前記変位部材は、前記開閉部材が閉じている状態で前記対向部材に押されて前記ロック部材の位置を前記ロック部材が前記解除部材の移動を防止する位置にすることを特徴とするものである。
【００１２】
この構成により、本発明の繋止システムは、開閉部材が開いている状態で爪部材による繋止具の抜け止めが解除可能であるとともに、開閉部材が閉じている状態で爪部材による繋止具の抜け止めが解除されることを防止することができる。
【００１３】
また、本発明の繋止システムの前記受け装置は、前記開閉部材が閉じている状態の前記建物の外側から前記開閉部材に接触するための外側接触部と、前記外側接触部及び前記抜止部の間隔を調整する間隔調整部材とを有したことを特徴とするものである。
【００１４】
この構成により、本発明の繋止システムは、受け装置が開閉部材に固定されるので、開閉部材の開閉に連動して爪部材による繋止具の抜け止めの解除の可否を切り替えることができる。
【００１５】
また、本発明の繋止システムの前記間隔調整部材は、閉じている前記開閉部材に前記受け装置が固定されている状態で前記建物の内側に配置され前記間隔を調整するために利用者によって操作されるための操作部を有したことを特徴とするものである。
【００１６】
この構成により、本発明の繋止システムは、開閉部材の端部と、対向部材との隙間が大きいために受け装置が開閉部材に固定されていない状態では建物の外部から受け装置が取り外されることが可能である場合であっても、建物の外部から受け装置が取り外されることを防止することができる。
【００１７】
また、本発明の繋止システムの前記受け装置は、前記ロック部材が前記解除部材から離れる方向に前記ロック部材を付勢する離方向付勢部材を有したことを特徴とするものである。
【００１８】
この構成により、本発明の繋止システムは、開閉部材が開いている状態で爪部材による繋止具の抜け止めが確実に解除可能である。
【００１９】
また、本発明の繋止システムの前記繋止具は、前記荷物に繋がった連結用部材を連結するための連結部を有し、前記連結部は、前記連結用部材が取り付けられるための取付口が形成され、前記取付口は、前記繋止具が前記受け装置に挿入された状態で前記受け装置によって少なくとも一部が覆われる位置に形成されたことを特徴とするものである。
【００２０】
この構成により、本発明の繋止システムは、繋止具が受け装置に挿入されるだけで、荷物を建物に繋ぎ止めることができる。
【００２１】
また、本発明の繋止システムの前記挿入部は、前記挿入穴に挿入されるための金箆と、前記金箆の延在方向に延在して前記金箆に回転可能に支持された遊動軸と、前記金箆の先端側で前記遊動軸に対して曲げられて前記遊動軸に設けられた鉤爪とを有し、前記繋止具は、前記金箆の根元側で前記遊動軸に対して曲げられて前記遊動軸に設けられた梃子と、前記遊動軸を中心とした前記梃子の回転をロックする錠機構とを有し、前記段差は、前記鉤爪によって形成されることを特徴とするものである。
【００２２】
この構成により、本発明の繋止システムの繋止具は、受け装置が存在しない建物には開閉装置に直接取り付けられることも可能である。
【００２３】
また、本発明の受け装置は、施錠可能な開閉部材と、閉じている状態の前記開閉部材の端部に対向する対向部材とを備えた建物に荷物を繋ぎ止める繋止システムに使用され、前記荷物を繋ぎ止めるための繋止具を前記開閉部材が閉じている状態で前記開閉部材に固定するために、開いている状態の前記開閉部材に予め取り付けられる受け装置であって、閉じている前記開閉部材に前記受け装置が固定されている状態で前記端部及び前記対向部材の隙間に配置される隙間配置部と、閉じている前記開閉部材に前記受け装置が固定されている状態で前記建物の内側に配置され前記隙間配置部に接続されて前記隙間配置部の前記隙間からの抜け止めを行う抜止部と、前記繋止具が挿入される挿入穴が形成された穴形成部と、前記挿入穴に挿入された前記繋止具に接触することによって前記繋止具の抜け止めを行う爪部材とを有したことを特徴とするものである。
【００２４】
この構成により、本発明の受け装置は、開いている状態の開閉部材に予め取り付けられるので、従来より多くの建物に荷物を繋ぎ止めることができる。
【００２５】
また、本発明の繋止具は、施錠可能な開閉部材と、閉じている状態の前記開閉部材の端部に対向する対向部材とを備えた建物に荷物を繋ぎ止める繋止システムに使用され、開いている状態の前記開閉部材に予め取り付けられた受け装置に前記開閉部材が閉じている状態で固定される繋止具であって、前記受け装置に挿入されるための挿入部と、前記荷物に繋がった連結用部材を連結するための連結部とを有し、前記挿入部は、前記受け装置からの抜け止めのための段差が形成され、前記連結部は、前記連結用部材が取り付けられるための取付口が形成され、前記取付口は、前記繋止具が前記受け装置に挿入された状態で前記受け装置によって少なくとも一部が覆われる位置に形成されたことを特徴とするものである。
【００２６】
この構成により、本発明の繋止具は、開いている状態の開閉部材に予め取り付けられる受け装置に取り付けられるので、従来より多くの建物に荷物を繋ぎ止めることができる。また、本発明の繋止具は、取付口に連結用部材が取り付けられた状態で受け装置に挿入されるだけで、荷物を建物に繋ぎ止めることができる。
【発明の効果】
【００２７】
本発明によれば、従来より多くの建物に荷物を繋ぎ止めることができる繋止システムを提供することができる。
【発明を実施するための最良の形態】
【００２８】
以下、本発明の一実施の形態について、図面を用いて説明する。
【００２９】
まず、本実施の形態に係る繋止システムの構成について説明する。
【００３０】
図１に示すように、本実施の形態に係る繋止システム１０は、施錠可能な開閉部材としての開き戸１０１と、開き戸１０１が閉じている状態で開き戸１０１の端部１０１ａに対向する対向部材としての戸枠１０２とを備えた建物１００に荷物８０や荷物９０を繋ぎ止めるものである。
【００３１】
繋止システム１０は、荷物８０を繋ぎ止めるための繋止具２０と、荷物９０を繋ぎ止めるための繋止具３０と、繋止具２０や繋止具３０が挿入されて繋止具２０や繋止具３０を開き戸１０１に固定するための受け装置７０とを備えている。
【００３２】
図２に示すように、繋止具２０は、受け装置７０（図１参照。）に挿入されるための挿入部２１と、荷物８０（図１参照。）に繋がった連結用部材としてのリング状のワイヤ（以下単に「リング」という。）８１（図１参照。）を連結するための連結部２２と、受け装置７０に挿入されるときの進行方向（以下「挿入方向」という。）における挿入部２１の後側に配置されて受け装置７０から取り外されるときに利用者に把持されるための把持部２３とを有しており、樹脂製である。挿入部２１は、挿入方向における先端の厚みが薄くなるように挿入方向に対して傾けられたテーパー面２１ａと、受け装置７０からの抜け止めのための段差２１ｂとが形成されている。段差２１ｂは、挿入方向におけるテーパー面２１ａの後側に配置されている。また、挿入部２１は、挿入方向における段差２１ｂの後側に配置されて挿入方向とは直交する方向に突出した突出部２１ｃとを有している。また、連結部２２は、溝によって形成されており、リング８１が取り付けられるための取付口２２ａが挿入部２１上に形成されている。
【００３３】
図３に示すように、繋止具３０は、荷物９０（図１参照。）を収納するための荷箱３１と、受け装置７０（図１参照。）に繋ぎ止めるための繋止錠４０と、荷箱３１に取り付けられた締錠５０と、繋止錠４０及び締錠５０を連結する連結管６０とを有している。
【００３４】
荷箱３１は、荷物９０を覆い隠す蓋３１ａと、荷物９０を載せる本体３１ｂとを有している。
【００３５】
繋止錠４０は、受け装置７０に挿入されるための挿入部４１を有している。挿入部４１は、板状の金箆４２と、金箆４２の延在方向に延在して金箆４２に回転可能に支持された遊動軸４３ａと、受け装置７０に挿入されるときの進行方向、即ち挿入方向における金箆４２の前側で遊動軸４３ａに対して直角に曲げられて遊動軸４３ａに設けられた鉤爪４３ｂとを有している。金箆４２は、挿入方向に延在するように中央部分に配置されて遊動軸４３ａが挿入された中央穴４２ａが形成されている。中央穴４２ａは、挿入方向における前側部分に挿入方向に延在した開口４２ｂが形成されている。鉤爪４３ｂは、図４に示すように金箆４２に対して起こされることによって、受け装置７０からの抜け止めのための段差４１ａを形成するようになっている。また、繋止錠４０は、図３に示すように、挿入方向における金箆４２の後側で遊動軸４３ａに対して鉤爪４３ｂと同じ方向に曲げられて遊動軸４３ａに設けられた梃子４３ｃと、遊動軸４３ａを中心とした梃子４３ｃの回転をロックする錠機構４４とを有している。錠機構４４は、挿入方向における梃子４３ｃの前側に配置されて挿入方向における後側に開口した戸袋４５ａが形成された本体４５と、挿入方向における戸袋４５ａの後側に配置されて戸袋４５ａに一部が入ることによって梃子４３ｃの回転を妨げる閉鎖戸４６と、挿入方向における閉鎖戸４６の後側に配置されて閉鎖戸４６を戸袋４５ａ側に付勢する押しバネ４７と、螺旋状の溝４８ａが形成された螺旋筒４８とを有している。本体４５は、挿入方向に延在して閉鎖戸４６及び押しバネ４７が挿入された穴４５ｂと、挿入方向に延在して螺旋筒４８が挿入された穴４５ｃと、金箆４２に対して起こされた梃子４３ｃを挿入方向における後側に移動可能にするための穴４５ｄとが形成されており、金箆４２と一体に形成されている。閉鎖戸４６は、挿入方向とは直交する方向に突出して螺旋筒４８の溝４８ａに挿入された突腕４６ａを有している。螺旋筒４８には、螺旋筒４８を回転させるための図示していない鍵が挿入されるための図示していない鍵穴が挿入方向に対する後端に形成されている。
【００３６】
締錠５０は、荷箱３１の蓋３１ａに図示していないボルト等によって固定された掛鉤５１と、荷箱３１の本体３１ｂに図示していないボルト等によって固定された鉤受５２とを有している。掛鉤５１は、鉤受５２からの抜け止めのための掛り部５１ａを有している。また、鉤受５２は、掛鉤５１の掛り部５１ａが挿入される掛鉤用穴５３ａが形成されて連結管６０が接続された本体５３と、掛り部５１ａが挿入される受穴５４ａが形成されて本体５３の内部に移動可能に収納された受穴板５４と、本体５３の内部に収納されて受穴板５４を連結管６０側に付勢する押しバネ５５とを有している。
【００３７】
連結管６０は、一端が繋止錠４０の梃子４３ｃに接触し他端が締錠５０の受穴板５４に接触した導線６１と、導線６１を保護する外殻６２と、外殻６２の一端に取り付けられて外殻６２の繋止錠４０からの抜け止めを行う金管６３と、外殻６２の他端に取り付けられて外殻６２の締錠５０からの抜け止めを行う金管６４とを有している。導線６１は、ステンレス等の太さ３ｍｍの金属撚線ワイヤであって、両末端が棒状に固められている。外殻６２は、ステンレス等の金属製の中空の蛇腹か、塩化ビニール等の外膜を施した管状の金属編線等で形成されており、柔軟性を有している。導線６１と、外殻６２との間には、潤滑グリスが塗布されている。
【００３８】
図５に示すように、受け装置７０は、閉じている開き戸１０１に受け装置７０が固定されている状態で開き戸１０１の端部１０１ａ及び戸枠１０２の隙間１００ａに配置される隙間配置部７１ａと、閉じている開き戸１０１に受け装置７０が固定されている状態で建物１００の内側に配置され隙間配置部７１ａに接続されて隙間配置部７１ａの隙間１００ａからの抜け止めを行う２つの抜止部７１ｂと、抜止部７１ｂとは反対側から隙間配置部７１ａに接続されて隙間配置部７１ａの延在方向と同じ方向に延在した２つの突起部７１ｃ（図６参照。）とを有した扉接触部材７１を有している。抜止部７１ｂは、隙間配置部７１ａの延在方向と直交して延在している。扉接触部材７１は、隙間配置部７１ａの延在方向と同じ方向に延在した貫通孔７１ｄ（図６参照。）が隙間配置部７１ａの中央部分に形成されている。
【００３９】
また、受け装置７０は、繋止具２０（図１参照。）や繋止具３０（図１参照。）が挿入される挿入穴７２ａが形成された穴形成部としての本体７２を有している。挿入穴７２ａは、繋止具２０や繋止具３０が挿入される挿入口７２ｂと、繋止具２０の突出部２１ｃ（図２参照。）や繋止具３０の金箆４２（図３参照。）が挿入される溝７２ｃとが形成されている。本体７２は、図６に示すように、挿入穴７２ａ（図５参照。）とは反対側に開口して扉接触部材７１の突起部７１ｃが挿入される２つの穴７２ｄと、２つの穴７２ｄの間に配置されたネジ穴７２ｅとが形成されている。また、本体７２は、図５に示すように、開き戸１０１が閉じている状態の建物１００の外側から開き戸１０１に接触するための外側接触部７２ｆを穴７２ｄが開口している面上に有している。
【００４０】
また、受け装置７０は、挿入穴７２ａに挿入された繋止具２０の段差２１ｂ（図２参照。）や繋止具３０の段差４１ａ（図４参照。）に接触することによって繋止具２０の抜け止めを行う爪部材７３を有している。爪部材７３は、本体７２の内部に形成されて挿入穴７２ａの延在方向と直交する方向に延在する爪部材用穴７２ｇに挿入されており、一部が挿入穴７２ａに突出している。爪部材７３は、挿入穴７２ａの挿入口７２ｂ側の面７３ａが曲面であり、挿入穴７２ａの挿入口７２ｂ側とは反対側の面７３ｂが挿入穴７２ａの延在方向と直交する平面であり、挿入穴７２ａ側の先端に近い部分ほど急激に薄くなるように面７３ａが形成されている。また、爪部材７３は、中央部分に設けられた空間７３ｃと、挿入穴７２ａ側とは反対側に空間７３ｃを連通させる連通穴７３ｄとが形成されている。
【００４１】
また、受け装置７０は、爪部材７３に対して挿入穴７２ａ側とは反対側に本体７２の爪部材用穴７２ｇ内に配置されて爪部材７３の突出方向に爪部材７３を付勢する爪付勢部材としての押しバネ７４と、爪部材７３に接触して移動させられることによって爪部材７３を移動させ爪部材７３による繋止具２０や繋止具３０の抜け止めを解除する解除部材７５とを有している。解除部材７５は、本体７２に形成されて本体７２の外部に爪部材用穴７２ｇを連通させる連通穴７２ｈと、押しバネ７４の内側空間と、爪部材７３の連通穴７３ｄとに挿入されている。解除部材７５は、爪部材７３の空間７３ｃの内部に配置されて挿入穴７２ａ側から爪部材７３に接触するための接触部７５ａと、本体７２の外側に配置されて挿入穴７２ａ側への移動を制限するためのストッパ７５ｂとを有している。
【００４２】
また、受け装置７０は、解除部材７５に接触して解除部材７５の移動を防止するロック部材７６を有している。ロック部材７６は、本体７２に形成されて挿入穴７２ａの延在方向及び爪部材用穴７２ｇの延在方向と直交する方向に延在するロック部材用穴７２ｉに挿入されており、解除部材７５に形成された溝７５ｃに先端が挿入されることによって解除部材７５の移動を防止するようになっている。ロック部材７６は、本体７２の内部に配置されて本体７２からの抜け止めを行うストッパ７６ａを有している。
【００４３】
また、受け装置７０は、ロック部材７６が解除部材７５から離れる方向にロック部材７６を付勢する離方向付勢部材としての押しバネ７７を有している。押しバネ７７は、ロック部材７６のストッパ７６ａに接触している。
【００４４】
また、受け装置７０は、ロック部材７６に接触してロック部材７６の位置を変更する変位部材７８を有している。変位部材７８は、扉接触部材７１の隙間配置部７１ａの延在方向及び抜止部７１ｂの延在方向と直交する方向に延在して隙間配置部７１ａに回転可能に支持された回転軸７８ａと、開き戸１０１が閉じている状態で戸枠１０２に接触する戸枠接触部７８ｂと、回転軸７８ａ側とは反対側に戸枠接触部７８ｂに接続されて本体７２の外部からロック部材７６に接触するための接触部７８ｃとを有している。変位部材７８は、開き戸１０１が閉じている状態で戸枠１０２に押されて、ロック部材７６の位置をロック部材７６が解除部材７５の移動を防止する位置にするようになっている。
【００４５】
また、受け装置７０は、扉接触部材７１の貫通孔７１ｄ（図６参照。）に挿入されて本体７２のネジ穴７２ｅ（図６参照。）に嵌合する間隔調整部材としてのネジ７９を有している。ネジ７９は、閉じている開き戸１０１に受け装置７０が固定されている状態で建物１００の内側に配置され抜止部７１ｂ及び外側接触部７２ｆの間隔７０ａを調整するために利用者によって操作されるための操作部としての頭７９ａを有している。抜止部７１ｂ及び外側接触部７２ｆの間隔７０ａは、外側接触部７２ｆに対する隙間配置部７１ａの突出量がネジ７９で調整させられることによって調整させられるようになっている。
【００４６】
次に、繋止システム１０の使用方法について説明する。
【００４７】
まず、建物１００の住人が受け装置７０を開き戸１０１に取り付けて開き戸１０１を施錠する場合について説明する。
【００４８】
住人は、開き戸１０１を開き、図７に示すように、受け装置７０の本体７２が建物１００の外側に配置されるように抜止部７１ｂと、外側接触部７２ｆとで開き戸１０１の端部１０１ａを挟み込む。そして、住人は、受け装置７０のネジ７９を締めることによって開き戸１０１の端部１０１ａに受け装置７０を固定し、開き戸１０１を閉めて施錠する。
【００４９】
受け装置７０は、開き戸１０１が閉められると、図５に示すように、開き戸１０１の端部１０１ａと戸枠１０２との隙間１００ａに隙間配置部７１ａが入り込み、変位部材７８の戸枠接触部７８ｂが戸枠１０２に押される。変位部材７８は、戸枠接触部７８ｂが戸枠１０２に押されると、回転軸７８ａを中心に回転して接触部７８ｃで押しバネ７７の付勢力に抗してロック部材７６を本体７２内に深く押し込む。ロック部材７６は、変位部材７８の接触部７８ｃによって本体７２内に深く押し込まれると、解除部材７５の溝７５ｃに先端が挿入されて解除部材７５の移動を防止する。
【００５０】
次に、受け装置７０が取り付けられた開き戸１０１が施錠されている状態で荷物８０の配達業者が建物１００に荷物８０を繋ぎ止める場合について説明する。
【００５１】
なお、繋止具２０を使い捨て品とする場合、荷物８０としては、宅配便による荷物等、配達業者による回収が無いものが適している。
【００５２】
配達業者は、建物１００の住人が留守中等の場合、持参した繋止具２０の連結部２２に荷物８０のリング８１を取り付けて、開き戸１０１に固定されている受け装置７０の挿入穴７２ａに繋止具２０の挿入部２１を挿入する。
【００５３】
繋止具２０は、挿入部２１が受け装置７０の挿入穴７２ａに挿入させられるとき、テーパー面２１ａで受け装置７０の爪部材７３の面７３ａに接触している間、挿入方向に進むに従って受け装置７０の押しバネ７４の付勢力に抗して爪部材７３を押しバネ７４側に移動させる。そして、繋止具２０は、テーパー面２１ａと、受け装置７０の爪部材７３の面７３ａとの接触が解除されると、押しバネ７４によって挿入穴７２ａ側に付勢された爪部材７３が元の位置に復帰し、図８に示す状態になる。
【００５４】
図８に示す状態のとき、繋止具２０は、段差２１ｂで受け装置７０の爪部材７３の面７３ｂに接触するので、受け装置７０の挿入穴７２ａから取り外されることができない。また、繋止具２０の取付口２２ａが受け装置７０によって覆われているので、荷物８０に繋がったリング８１は、繋止具２０から取り外されることができない。即ち、荷物８０は、建物１００に繋ぎ止められている。
【００５５】
次に、建物１００に繋ぎ止められた荷物８０を建物１００の住人が取り外す場合について説明する。
【００５６】
住人は、開き戸１０１を解錠して開ける。
【００５７】
開き戸１０１が開けられると、受け装置７０は、変位部材７８の戸枠接触部７８ｂが戸枠１０２に押されなくなり、変位部材７８が回転軸７８ａを中心に回転可能になるので、図９に示すように、変位部材７８の接触部７８ｃに接触したロック部材７６が押しバネ７７の付勢力によって接触部７８ｃを押しながら本体７２の外部側に移動する。ロック部材７６が本体７２の外部側に移動すると、解除部材７５は、ロック部材７６との接触が解除されて移動可能になる。
【００５８】
そして、住人は、受け装置７０の解除部材７５のうち本体７２外に飛び出ている部分を摘んで解除部材７５を本体７２の外部側に引っ張る。
【００５９】
受け装置７０は、解除部材７５が本体７２の外部側に引っ張られると、解除部材７５の接触部７５ａと接触している爪部材７３が解除部材７５とともに移動させられて、図１０に示すように、爪部材７３の面７３ｂが繋止具２０の段差２１ｂに一切接触しない位置に爪部材７３が到達する。
【００６０】
したがって、住人は、繋止具２０の把持部２３を把持して受け装置７０から繋止具２０を引き出し、荷物８０を建物１００から取り外すことができる。
【００６１】
次に、受け装置７０が取り付けられた開き戸１０１が施錠されている状態で荷物９０の配達業者が建物１００に荷物９０を繋ぎ止める場合について説明する。
【００６２】
なお、繋止具３０を繰り返し利用する場合、荷物９０としては、レンタルビデオ等、配達業者による回収が有るものが適している。
【００６３】
配達元又は配達業者は、荷物９０を入れた状態で荷箱３１の本体３１ｂに対して蓋３１ａを閉じる。
【００６４】
締錠５０は、荷箱３１の本体３１ｂに対して蓋３１ａが閉じられると、本体３１ｂに固定されている鉤受５２の掛鉤用穴５３ａに、蓋３１ａに固定されている掛鉤５１の掛り部５１ａが押し込まれる。そして、掛り部５１ａは、受穴板５４の受穴５４ａにも押し込まれ、押しバネ５５の付勢力に抗して受穴板５４を押しバネ５５側に移動させる。掛り部５１ａが受穴板５４の受穴５４ａを通過して掛り部５１ａと、受穴板５４との接触がなくなると、受穴板５４は、押しバネ５５によって付勢されて元の位置に戻る。受穴板５４が元の位置に戻ると、掛り部５１ａは、受穴板５４に引っ掛かるため、受穴板５４の受穴５４ａを通過することができなくなる。即ち、荷箱３１は、締錠５０によって施錠される。
【００６５】
そして、配達業者は、建物１００の住人が留守中等の場合、図１１に示すように、繋止錠４０の梃子４３ｃを立てる。
【００６６】
繋止錠４０は、梃子４３ｃが立てられると、梃子４３ｃとの接触が解除された閉鎖戸４６が押しバネ４７に押されて戸袋４５ａに入り、梃子４３ｃが倒されることを閉鎖戸４６によって防止する。
【００６７】
なお、配達業者は、繋止錠４０の上述した鍵穴に鍵を挿入して螺旋筒４８を回転させることによって、螺旋筒４８の溝４８ａに突腕４６ａが挿入された閉鎖戸４６を押しバネ４７の付勢力に抗して元の位置に復帰させることができる。閉鎖戸４６が元の位置に復帰させられると、梃子４３ｃは、再び倒されることが可能となる。即ち、配達業者は、遊動軸４３ａを介して梃子４３ｃに接続された鉤爪４３ｂを再び倒すことができる。
【００６８】
配達業者は、繋止錠４０の梃子４３ｃを立てた後、開き戸１０１に固定されている受け装置７０の挿入穴７２ａに繋止具３０の繋止錠４０の挿入部４１を挿入する。
【００６９】
繋止錠４０は、挿入部４１が受け装置７０の挿入穴７２ａに挿入させられるとき、鉤爪４３ｂで受け装置７０の爪部材７３の面７３ａに接触している間、挿入方向に進むに従って受け装置７０の押しバネ７４の付勢力に抗して爪部材７３を押しバネ７４側に移動させる。そして、繋止具２０は、鉤爪４３ｂと、受け装置７０の爪部材７３の面７３ａとの接触が解除されると、押しバネ７４によって挿入穴７２ａ側に付勢された爪部材７３が元の位置に復帰し、図１２に示す状態になる。
【００７０】
図１２に示す状態のとき、繋止錠４０は、段差４１ａで受け装置７０の爪部材７３の面７３ｂに接触するので、受け装置７０の挿入穴７２ａから取り外されることができない。即ち、荷物９０は、建物１００に繋ぎ止められている。
【００７１】
次に、建物１００に繋ぎ止められた荷物９０を建物１００の住人が取り外して荷箱３１を開ける場合について説明する。
【００７２】
建物１００に繋ぎ止められた荷物９０を住人が取り外す作業については、上述した建物１００に繋ぎ止められた荷物８０を住人が取り外す作業と同様であるので、説明を省略する。
【００７３】
住人は、建物１００から荷物９０を取り外した後、図１３に示すように、繋止錠４０の鉤爪４３ｂを開口４２ｂに沿って梃子４３ｃ側に押し込む。
【００７４】
繋止錠４０は、鉤爪４３ｂが開口４２ｂに沿って梃子４３ｃ側に押し込まれると、遊動軸４３ａを介して鉤爪４３ｂと接続された梃子４３ｃも穴４５ｄに沿って移動し、梃子４３ｃによって連結管６０の導線６１を締錠５０側に押し込む。締錠５０は、連結管６０の導線６１によって受穴板５４が押しバネ５５側に押し込まれると、掛鉤５１の掛り部５１ａが受穴板５４の受穴５４ａから抜き出されることが可能になる。
【００７５】
したがって、住人は、受穴板５４の受穴５４ａと、鉤受５２の掛鉤用穴５３ａとから掛鉤５１の掛り部５１ａを抜き出すことによって、荷箱３１の本体３１ｂに対して蓋３１ａを開けることができる。
【００７６】
なお、繋止錠４０は、図１４に示すように、開き戸１０１の端部１０１ａと、戸枠１０２との隙間１００ａが適切に設けられており、建物１００の内側のスペース１００ｂが十分である場合には、閉まっている状態の開き戸１０１の端部１０１ａと、戸枠１０２との隙間１００ａに金箆４２が挿入されて金箆４２に対して鉤爪４３ｂが起こされることによって、受け装置７０ではなく開き戸１０１に直接取り付けられることも可能である。繋止錠４０が開き戸１０１に直接取り付けられている場合、住人は、開き戸１０１を開いて繋止錠４０を開き戸１０１から取り外した後、上述したように荷箱３１を開けることができる。また、繋止具３０は、受け装置７０が存在しない建物には開き戸に直接取り付けられることも可能である。
【００７７】
以上に説明したように、繋止システム１０は、開いている状態の開き戸１０１に予め取り付けられる受け装置７０に繋止具２０や繋止具３０が取り付けられるので、閉まっている状態の開き戸１０１の端部１０１ａと、戸枠１０２との隙間１００ａに繋止具３０の金箆４２が挿入されて金箆４２に対して鉤爪４３ｂが起こされる繋止システム、即ち、閉まっている状態の開き戸１０１に繋止具３０が直接取り付けられる従来型の繋止システムと比較して、開き戸１０１の端部１０１ａと、戸枠１０２との隙間１００ａや、建物１００の内側のスペース１００ｂの大きさによる影響が少ない。したがって、繋止システム１０は、従来より多くの建物１００に荷物８０を繋ぎ止めることができる。
【００７８】
また、繋止システム１０は、受け装置７０が押しバネ７４を有しているので、爪部材７３による繋止具２０や繋止具３０の抜け止めが振動によって解除されることを防止することができる。また、繋止システム１０は、受け装置７０が押しバネ７４を有しているので、爪部材７３にかかる重力の向きとは無関係に爪部材７３を安定して機能させることができ、受け装置７０の取り付け位置を開き戸１０１の上下左右の任意の位置にすることができる。
【００７９】
また、繋止システム１０は、受け装置７０が解除部材７５、ロック部材７６及び変位部材７８を有しているので、開き戸１０１が開いている状態で爪部材７３による繋止具２０や繋止具３０の抜け止めが解除可能であるとともに、開き戸１０１が閉じている状態で爪部材７３による繋止具２０や繋止具３０の抜け止めが解除されることを防止することができる。
【００８０】
また、繋止システム１０は、受け装置７０が扉接触部材７１、本体７２及びネジ７９によって開き戸１０１に固定されるので、開き戸１０１の開閉に連動して爪部材７３による繋止具２０や繋止具３０の抜け止めの解除の可否を切り替えることができる。また、繋止システム１０は、受け装置７０が扉接触部材７１、本体７２及びネジ７９によって開き戸１０１に固定されるので、抜止部７１ｂ及び外側接触部７２ｆの間隔７０ａが調整されることによって、様々な厚みの開き戸１０１に固定されることができる。
【００８１】
また、繋止システム１０は、閉じている開き戸１０１に受け装置７０が固定されている状態で建物１００の内側にネジ７９の頭７９ａが配置されているので、開き戸１０１の端部１０１ａと、戸枠１０２との隙間１００ａが大きいために受け装置７０が開き戸１０１に固定されていない状態では建物１００の外部から受け装置７０が取り外されることが可能である場合であっても、建物１００の外部から受け装置７０が取り外されることを防止することができる。
【００８２】
また、繋止システム１０は、受け装置７０が押しバネ７７を有しているので、開き戸１０１が開いている状態で爪部材７３による繋止具２０の抜け止めが確実に解除可能である。また、繋止システム１０は、受け装置７０が押しバネ７７を有しているので、ロック部材７６にかかる重力の向きとは無関係にロック部材７６を安定して機能させることができ、受け装置７０の取り付け位置を開き戸１０１の上下左右の任意の位置にすることができる。
【００８３】
また、繋止具２０は、受け装置７０に挿入されるだけで、荷物８０を建物１００に繋ぎ止めることができる。また、繋止具２０は、簡単な構造であるので、樹脂等による大量生産によって安価に製造されて使い捨て品として使用されることができる。なお、繋止具２０は、樹脂以外の材料で製造されていても良い。
【００８４】
繋止具２０は、使い捨て品として使用される場合、配達業者による荷物の回収を前提としていない宅配便等の配達において、繋止具３０と比較して高い利便性を発揮することができる。即ち、配達業者による荷物の回収を前提としていない配達において、繋止具３０が利用されて建物１００に荷物９０が繋ぎとめられた場合、配達業者は、荷物９０の回収が無いのにもかかわらず繋止具３０の回収のために建物１００を再度訪問しなければならないという作業が余分に発生してしまうが、繋止具２０が利用されて建物１００に荷物８０が繋ぎとめられた場合、配達業者は、使い捨て品である繋止具２０の回収のために建物１００を再度訪問することはない。繋止具３０が使い捨て品として使用されると、繋止具３０が利用されても余分な回収作業が発生することはないが、繋止具３０は、繋止具２０と比較して構造が複雑であるため通常は高価になるので、通常は配達業者による回収が必要になると考えられる。
【００８５】
なお、本実施の形態においては、施錠可能な開閉部材として開き戸について説明したが、例えば引き戸、吊戸、折戸、シャッタ、窓等、建物に取り付けられて開閉及び施錠が可能な部材であれば、開き戸以外の部材であっても良い。
【００８６】
また、本実施の形態においては、荷物８０に繋がった連結用部材としてリングについて説明したが、繋止具２０と連結するために荷物８０に取り付けられた部材であれば、リング以外の部材であっても良い。
【００８７】
また、本実施の形態においては、繋止具２０の取付口２２ａは、挿入部２１上、即ち、繋止具２０が受け装置７０に挿入された状態で全部が覆われる位置に形成されているが、繋止具２０が受け装置７０に挿入された状態で受け装置７０によって少なくとも一部が覆われてリング８１が取り外し不可能になる位置に形成されていれば良い。
【００８８】
また、本実施の形態においては、受け装置７０は、繋止具２０と繋止具３０との兼用であったが、繋止具２０及び繋止具３０の何れか一方のみが取り付け可能であっても良い。
【００８９】
また、本実施の形態においては、受け装置７０は、繋止具２０や繋止具３０が一度に１つのみ取付可能であるが、一度に複数が取り付けられるようになっていても良い。
【図面の簡単な説明】
【００９０】
【図１】本発明の一実施の形態に係る繋止システムの斜視図
【図２】（ａ）図１に示す繋止システムの２種類の繋止具のうち一方の種類の繋止具の上面図  （ｂ）図２（ａ）に示す繋止具の側面図
【図３】（ａ）図１に示す繋止システムの２種類の繋止具のうち図２に示す繋止具とは異なる種類の繋止具の部分的に破断させた側面図であって、鉤爪が金箆に対して倒されている状態での図  （ｂ）図３（ａ）に示す状態での繋止具の繋止錠の部分的に破断させた上面図
【図４】図３（ｂ）に示す繋止錠の斜視図であって、鉤爪が金箆に対して起こされている状態での図
【図５】（ａ）図１に示す繋止システムの受け装置の部分的に破断させた側面図であって、閉じている開き戸に受け装置が取り付けられている状態での図  （ｂ）図５（ａ）に示す状態での受け装置の上面断面図  （ｃ）図５（ａ）のＩ−Ｉ矢視断面図
【図６】図５に示す受け装置の分解斜視図
【図７】（ａ）図５に示す受け装置の部分的に破断させた側面図であって、開いている開き戸に受け装置が取り付けられている状態での図  （ｂ）図７（ａ）に示す状態での受け装置の上面断面図  （ｃ）図７（ａ）のＩＩ−ＩＩ矢視断面図
【図８】（ａ）図５に示す受け装置の部分的に破断させた側面図であって、閉じている開き戸に取り付けられた受け装置に図２に示す繋止具が挿入されている状態での図  （ｂ）図８（ａ）に示す状態での受け装置の上面断面図  （ｃ）図８（ａ）のＩＩＩ−ＩＩＩ矢視断面図
【図９】（ａ）図５に示す受け装置の部分的に破断させた側面図であって、開いている開き戸に取り付けられた受け装置に図２に示す繋止具が挿入されている状態での図  （ｂ）図９（ａ）に示す状態での受け装置の上面断面図  （ｃ）図９（ａ）のＩＶ−ＩＶ矢視断面図
【図１０】（ａ）図５に示す受け装置の部分的に破断させた側面図であって、開いている開き戸に取り付けられた受け装置に図２に示す繋止具が挿入されているときに受け装置の解除部材が引っ張られている状態での図  （ｂ）図１０（ａ）に示す状態での受け装置の上面断面図  （ｃ）図１０（ａ）のＶ−Ｖ矢視断面図
【図１１】（ａ）図３に示す繋止具の部分的に破断させた側面図であって、鉤爪が金箆に対して起こされている状態での図  （ｂ）図１１（ａ）に示す状態での繋止具の繋止錠の部分的に破断させた上面図
【図１２】（ａ）図５に示す受け装置の部分的に破断させた側面図であって、閉じている開き戸に取り付けられた受け装置に図３に示す繋止具が挿入されている状態での図  （ｂ）図１２（ａ）に示す状態での受け装置の上面断面図  （ｃ）図１２（ａ）のＶＩ−ＶＩ矢視断面図
【図１３】（ａ）図３に示す繋止具の部分的に破断させた側面図であって、鉤爪が押し込まれた状態での図  （ｂ）図１３（ａ）に示す状態での繋止具の繋止錠の部分的に破断させた上面図
【図１４】図３に示す繋止具の側面図であって、閉じている開き戸に繋止具が直接取り付けられている状態での図
【符号の説明】
【００９１】
１０  繋止システム
２０  繋止具
２１  挿入部
２１ｂ  段差
２２  連結部
２２ａ  取付口
３０  繋止具
４１  挿入部
４１ａ  段差
４２  金箆
４３ａ  遊動軸
４３ｂ  鉤爪
４３ｃ  梃子
４４  錠機構
７０  受け装置
７０ａ  間隔
７１ａ  隙間配置部
７１ｂ  抜止部
７２  本体（穴形成部）
７２ａ  挿入穴
７２ｆ  外側接触部
７３  爪部材
７４  バネ（爪付勢部材）
７５  解除部材
７６  ロック部材
７７  バネ（離方向付勢部材）
７８  変位部材
７９  ネジ（間隔調整部材）
７９ａ  頭（操作部）
８０  荷物
８１  リング（離方向付勢部材）
９０  荷物
１００  建物
１００ａ  隙間
１０１  開き戸（開閉部材）
１０１ａ  端部
１０２  戸枠（対向部材）
【図１】
0004748675.tif 000002
【図２】
0004748675.tif 000003
【図３】
0004748675.tif 000004
【図４】
0004748675.tif 000005
【図５】
0004748675.tif 000006
【図６】
0004748675.tif 000007
【図７】
0004748675.tif 000008
【図８】
0004748675.tif 000009
【図９】
0004748675.tif 000010
【図１０】
0004748675.tif 000011
【図１１】
0004748675.tif 000012
【図１２】
0004748675.tif 000013
【図１３】
0004748675.tif 000014
【図１４】
0004748675.tif 000015